(57)【要約】【課題】汎用性を損なわずに、ケーブルと筐体板金間の電気的結合を防ぐこと。【解決手段】電気信号の送受信を担うＦＦＣ５０に装着され、金属との間に所定距離を確保するカバー部材１００であって、ＦＦＣ５０の外周を覆い、ＦＦＣ５０の延びる方向である第１の方向に沿って伸縮可能な蛇腹部と、蛇腹部に接続され、蛇腹部の伸縮状態を維持する複数のクランプ部１２と、を備え、前記複数のクランプ部１２は、第１の方向に沿ってＦＦＣ５０に設けられた突起部５１ａ〜５１ｄに嵌合する溝部１２ａ〜１２ｄが設けられている。【選択図】図４
2017221030.tif 000002
【特許請求の範囲】
【請求項１】
電気信号の送受信を担うケーブルに装着され、金属との間に所定距離を確保するカバー部材であって、
前記ケーブルの外周を覆い、前記ケーブルの延びる方向である第１の方向に沿って伸縮可能な蛇腹部と、
前記蛇腹部に接続され、前記蛇腹部の伸縮状態を維持する複数の伸縮状態維持部と、
を備える、カバー部材。
【請求項２】
前記複数の伸縮状態維持部は、前記第１の方向に沿って前記ケーブルに設けられた突起部に嵌合する溝部が設けられている、請求項１に記載のカバー部材。
【請求項３】
前記溝部は、前記ケーブルを挟んで対向する位置に設けられている、請求項２に記載のカバー部材。
【請求項４】
前記溝部は、平面形状に成形された前記ケーブルの一方の面に設けられた２つの前記突起部と、前記ケーブルの前記一方の面と反対側の他方の面に設けられた２つの前記突起部とに嵌合するように４つ設けられている、請求項３に記載のカバー部材。
【請求項５】
前記複数の伸縮状態維持部は、前記第１の方向に沿って前記ケーブルに設けられた溝部に嵌合する突起部が設けられている、請求項１に記載のカバー部材。
【請求項６】
前記突起部は、前記ケーブルを挟んで対向する位置に設けられている、請求項５に記載のカバー部材。
【請求項７】
前記突起部は、平面形状に成形された前記ケーブルの一方の面に設けられた２つの前記溝部と、前記ケーブルの前記一方の面と反対側の他方の面に設けられて２つの前記溝部とに嵌合するように４つ設けられている、請求項６に記載のカバー部材。
【請求項８】
前記複数の伸縮状態維持部は、内部側の前記ケーブルを挟んで対向する位置に設けられた一対の突起部であって、
前記一対の突起部の間隔は、前記ケーブルを挟持する方向である第２の方向の前記ケーブルの長さ以下である、請求項１に記載のカバー部材。
【請求項９】
金属の筐体板金と、
前記筐体板金に接続された第１の基板と、
前記筐体板金に接続された第２の基板と、
前記第１の基板と前記第２の基板とを接続するケーブルと、
前記ケーブルに装着される請求項１〜８のいずれか一つに記載のカバー部材と、
を備える、情報処理装置。
【発明の詳細な説明】
【技術分野】
【０００１】
本発明は、カバー部材および情報処理装置に関する。
【背景技術】
【０００２】
画像形成装置などの電子機器の内部に存在する回路基板間を電気的に接続する際、薄型で実装スペースを必要としないフレキシブルフラットケーブル（ＦＦＣ：Flexible  Flat  Cable）などのケーブルが利用されている。通信の高速化に伴い、ケーブルで伝送される信号には高周波が用いられている。
【０００３】
ケーブルと、当該ケーブルの接続先である回路基板が搭載される筐体板金との距離が近くなる、または接触する場合、ケーブルと筐体板金が電気的に結合することで筐体板金に電流が流れ、筐体板金が放射源となり、電波ノイズが増大するという問題がある。こうした電波ノイズは、電子機器の誤動作の原因となるため、放射量の規格が定められており、当該規格を満足する設計が求められている。
【０００４】
このような問題に対して、導電シートでケーブルを覆うことでケーブルと筐体板金の電気的結合を防ぐ方法のほか、ケーブルと筐体板金の間に厚みのある絶縁体を設置し、ケーブルと筐体板金の間の距離を確保することで電気的結合を防ぐ方法が知られている。例えば、伝導性フィルムを貼り付けたフレキシブルフラットケーブルが知られている（特許文献１参照）。
【発明の概要】
【発明が解決しようとする課題】
【０００５】
しかしながら、上述したような従来のケーブルと筐体板金の電気的結合を防ぐ方法では、筐体板金の構造に合わせて導電シート等をケーブルに固定する位置を決定する必要がある。そして、一度決定した導電シート等の位置を変更することができず、汎用性に欠けるという問題があった。
【０００６】
本発明は、上記に鑑みてなされたものであって、汎用性を損なわずに、ケーブルと筐体板金間の電気的結合を防ぐカバー部材および情報処理装置を提供することを目的とする。
【課題を解決するための手段】
【０００７】
上述した課題を解決し、目的を達成するために、本発明は、電気信号の送受信を担うケーブルに装着され、金属との間に所定距離を確保するカバー部材であって、前記ケーブルの外周を覆い、前記ケーブルの延びる方向である第１の方向に沿って伸縮可能な蛇腹部と、前記蛇腹部に接続され、前記蛇腹部の伸縮状態を維持する複数の伸縮状態維持部と、を備える。
【発明の効果】
【０００８】
本発明によれば、汎用性を損なわずに、ケーブルと筐体板金間の電気的結合を防ぐことができるという効果を奏する。
【図面の簡単な説明】
【０００９】
【図１】図１は、第１の実施形態のカバー部材を装着したＦＦＣの上面図である。
【図２】図２は、第１の実施形態のカバー部材を装着したＦＦＣの側面図である。
【図３】図３は、第１の実施形態のカバー部材を装着したＦＦＣの斜視図である。
【図４】図４は、第１の実施形態のカバー部材を装着したＦＦＣの断面図である。
【図５】図５は、第１の実施形態のカバー部材を装着したＦＦＣの断面図である。
【図６−１】図６−１は、カバー部材を伸ばしてＦＦＣに装着した一例を示す図である。
【図６−２】図６−２は、カバー部材を縮めてＦＦＣに装着した一例を示す図である。
【図７】図７は、第２の実施形態のカバー部材を装着したＦＦＣの断面図である。
【図８】図８は、第３の実施形態のカバー部材を装着したＦＦＣの断面図である。
【発明を実施するための形態】
【００１０】
以下に添付図面を参照して、カバー部材および情報処理装置の実施形態を詳細に説明する。
【００１１】
（第１の実施形態）
本実施形態のカバー部材は、電気信号の送受信を担うＦＦＣ（フレキシブルフラットケーブル）に装着され、金属との間に所定距離を確保するものである。以下では、ＦＦＣに装着されたカバー部材について図面を参照して説明する。図１は、第１の実施形態のカバー部材を装着したＦＦＣの上面図である。図２は、第１の実施形態のカバー部材を装着したＦＦＣの側面図である。図２は、図１における矢印Ａ方向から見た側面図である。図３は、第１の実施形態のカバー部材を装着したＦＦＣの斜視図である。
【００１２】
図１〜３に示すように、本実施形態のカバー部材１００は、蛇腹部１１と、クランプ部１２とを備えており、ＦＦＣ５０に装着されている。クランプ部１２が伸縮状態維持部に相当する。
【００１３】
ＦＦＣ５０は、電気信号の送受信を担う電線であって、例えば、情報処理装置の内部に存在する２つの回路基板を接続し、当該２つの回路基板間で情報伝達を行うものである。本実施形態のＦＦＣ５０は、絶縁体５１と、電気信号を送受信する内部導体５２とを備えており、図３に示すように並置された複数の内部導体５２が絶縁体５１に覆われている。
【００１４】
本実施形態のＦＦＣ５０は、平面形状に成形されており、絶縁体５１の上面５１１と下面５１２は、互いに反対方向を向いている。ＦＦＣ５０は、上面５１１と、上面５１１と反対側の下面５１２の両面に、ＦＦＣ５０の内部導体５２の延びる方向であるα方向に沿って突起部５１ａ〜５１ｄが設けられている。突起部５１ａ〜５１ｄは、α方向に沿ってレール状に設けられており、断面が矩形状になっている。また、本実施形態では、突起部５１ａ、５１ｂが絶縁体５１の上面５１１の両端部近傍の対向する位置にそれぞれ設けられ、突起部５１ｃ、５１ｄが絶縁体５１の下面５１２の両端部近傍の対向する位置にそれぞれ設けられている。なお、本実施形態では、４つの突起部が設けられた構成となっているが、任意の数の突起部を設けてもよい。
【００１５】
蛇腹部１１は、ＦＦＣ５０をカバーするものである。本実施形態の蛇腹部１１は、内部にＦＦＣ５０が納まる空間を有し、伸縮可能な蛇腹状で形成されている。そして、蛇腹部１１は、ＦＦＣ５０の外周を覆い、ＦＦＣ５０の延びる方向であるα方向に沿って装着されている。蛇腹部１１は、例えば、ポリエチレンや塩化ビニル樹脂などであって、絶縁性を有していればよい。なお、α方向が第１の方向に相当する。
【００１６】
クランプ部１２は、蛇腹部１１に接続され、ＦＦＣ５０の外周を保持しながら、蛇腹部１１の伸縮状態を維持するものである。本実施形態のクランプ部１２は、内部にＦＦＣ５０が通過する穴が形成された枠形状の部材である。また、本実施形態のクランプ部１２は、３つ設けられており、２つの蛇腹部１１の両端部に接続されている。本実施形態では、３つのクランプ部１２が設けられた構成となっているが、任意の数のクランプ部を設けることができる。また、本実施形態では、クランプ部１２が蛇腹部１１の端部に接続された構成となっているが、端部近傍（端部より内部側）に接続してもよい。クランプ部１２は、例えば、樹脂によって製造されている。
【００１７】
クランプ部１２は、α方向（第１の方向）に沿ってＦＦＣ５０に設けられた４つの突起部５１ａ〜５１ｄに嵌合するように、内部側に４つの溝部１２ａ〜１２ｄが設けられている。溝部１２ａと１２ｂ、および溝部１２ｃと１２ｄは、ＦＦＣ５０を挟んで対向する位置にそれぞれ設けられている。以下に各溝部について詳細に説明する。
【００１８】
図４は、第１の実施形態のカバー部材を装着したＦＦＣの断面図である。図４では、ＦＦＣ５０に装着されたカバー部材１００のクランプ部１２の部分におけるβ方向の断面図である。つまり、例えば、図１に示すＢ−Ｂ断面である。図５は、第１の実施形態のカバー部材を装着したＦＦＣの斜視図である。図５では、図３に示す斜視図の一部となっている。
【００１９】
図４、５を参照すると、上述したようにＦＦＣ５０の絶縁体５１の上面５１１（一方の面）の両端部近傍には、突起部５１ａ、５１ｂが設けられ、絶縁体５１の下面５１２（他方の面）の両端部近傍には、突起部５１ｃ、５１ｄが設けられている。そして、ＦＦＣ５０にカバー部材１００が装着された場合に、突起部５１ａに嵌合するようにクランプ部１２の内部側に断面が矩形状に凹んだ溝部１２ａが設けられ、同様に、突起部５１ｂ、５１ｃ、５１ｄに嵌合するようにクランプ部１２の内部側にそれぞれ溝部１２ｂ、１２ｃ、１２ｄが設けられている。
【００２０】
本実施形態では、ＦＦＣ５０の上面５１１に設けられた２つの突起部５１ａ、５１ｂに嵌合し、ＦＦＣ５０の下面５１２に設けられた２つの突起部５１ｃ、５１ｄに嵌合するように、クランプ部１２の内部側に計４つの溝部１２ａ〜１２ｄが設けられている。
【００２１】
このように、カバー部材１００のクランプ部１２は、ＦＦＣ５０に設けられた突起部５１ａ〜５１ｄに溝部１２ａ〜１２ｄが嵌合すると、突起部５１ａ〜５１ｄと溝部１２ａ〜１２ｄの摩擦力が大きくなる。このため、クランプ部１２および蛇腹部１１を備えたカバー部材１００がＦＦＣ５０の長さ方向（α方向）、断面方向（β方向）にずれることを防止できるとともに、クランプ部１２および蛇腹部１１がＦＦＣ５０から離脱することを防止できる構造となっている。
【００２２】
次に、カバー部材１００の使用方法について説明する。図６−１は、カバー部材を伸ばしてＦＦＣに装着した一例を示す図である。図６−２は、カバー部材を縮めてＦＦＣに装着した一例を示す図である。
【００２３】
図６−１、６−２に示すように、例えば、本実施形態のカバー部材１００が装着されるＦＦＣ５０は、情報処理装置の内部に存在する送信側の回路基板８１と受信側の回路基板８２とを接続し、それらの回路基板間の情報伝達のために用いられる。回路基板８１には、ＦＦＣ５０と接続するためのコネクタ８１ａが設けられ、複数の接続部材８１ｂによって筐体板金８０の上部板金８０１に固定されている。また、回路基板８２には、ＦＦＣ５０と接続するためのコネクタ８２ａが設けられ、複数の接続部材８２ｂによって筐体板金８０の下部板金８０２に固定されている。なお、回路基板８１が第１の基板に相当し、回路基板８２が第２の基板に相当する。筐体板金８０は金属の一例である。
【００２４】
ＦＦＣ５０を送信側の回路基板８１および受信側の回路基板８２に、コネクタ８１ａ、８２ａを介して接続する場合、ＦＦＣ５０は筐体板金８０に沿って這い廻される。従って、ＦＦＣ５０と筐体板金８０との距離が所定距離より近くなる領域（所定距離未満の領域）と、ＦＦＣ５０と筐体板金８０との距離が所定距離より遠くなる領域（所定距離以上の領域）に分類できる。所定距離より近くなる領域（所定距離未満の領域）とは、ＦＦＣ５０と筐体板金８０が電気的に結合し、筐体板金８０に所定量以上の電流が流れてしまう領域である。図６−１、図６−２では、ＦＦＣ５０と筐体板金８０との距離が所定距離より近くなる領域をｔ１で示し、ＦＦＣ５０と筐体板金８０との距離が所定距離より遠くなる領域をｔ２で示している。
【００２５】
本実施形態では、ＦＦＣ５０と筐体板金８０との距離が所定距離より近くなる領域では、クランプ部１２と蛇腹部１１とからなるカバー部材１００をＦＦＣ５０に沿って移動させてＦＦＣ５０を覆う。これにより、ＦＦＣ５０の内部導体５２と筐体板金８０との距離が所定距離以上となる。本実施形態では、ＦＦＣ５０をカバー部材１００により覆うことで、ＦＦＣ５０の内部導体５２と筐体板金８０との距離として、図４に示す距離Ｌ１（内部導体５２と絶縁体の上面５１１および下面５１２との距離）が確保される。このように、ＦＦＣ５０と筐体板金８０との距離が所定距離より近くなる領域で、筐体板金８０とＦＦＣ５０との間に所定距離（距離Ｌ１）が確保されると、ＦＦＣ５０と筐体板金８０の電気的結合を防ぐことができる。
【００２６】
一方、ＦＦＣ５０と筐体板金８０の距離が所定距離より遠くなる領域では、電気的な結合がないため、カバー部材１００を装着しない。これにより、筐体板金８０とＦＦＣ５０との間に空間が確保され、ＦＦＣ５０本来の柔軟性を保つことができる。このように、本実施形態のカバー部材１００は、蛇腹部１１の伸縮性によって、ＦＦＣ５０を覆う範囲を調節することができる。
【００２７】
図６−１は、筐体板金８０の上部板金８０１が下部板金８０２と同程度の長さになっており、ＦＦＣ５０と筐体板金８０が所定距離より近くなる領域が広くなっている。この場合、カバー部材１００のクランプ部１２を左右に引っ張る（図６−１のＦ１方向に引っ張る）ことで蛇腹部１１を伸ばし、ＦＦＣ５０が筐体板金８０に所定距離より近づくことを防止している。
【００２８】
一方、図６−２は、筐体板金８０の上部板金８０１が下部板金８０２より短くなっており、ＦＦＣ５０と筐体板金８０が所定距離より近くなる領域が図６−１の場合より狭くなっている。この場合、カバー部材１００のクランプ部１２を左右から押圧する（図６−２のＦ２方向に押圧する）ことで蛇腹部１１を縮め、ＦＦＣ５０が筐体板金８０に所定距離より近づくことのない領域では、ＦＦＣ５０の柔軟性を損なうことがない。
【００２９】
このように、本実施形態のカバー部材１００は、蛇腹部１１に接続されたクランプ部１２の内部側に、ＦＦＣ５０に設けられた突起部５１ａ〜５１ｄに嵌合する溝部１２ａ〜１２ｄを設けている。そして、突起部５１ａ〜５１ｄと溝部１２ａ〜１２ｄとが嵌合することにより、ＦＦＣ５０とカバー部材１００との間の摩擦力が大きくなる。これにより、カバー部材１００がＦＦＣ５０の長さ方向や断面方向にずれることを防止できるとともに、クランプ部１２および蛇腹部１１がＦＦＣ５０から離脱することを防止することができる。
【００３０】
また、本実施形態のカバー部材１００は、クランプ部１２が筐体板金８０に固定されていないため、クランプ部１２および蛇腹部１１を任意の位置に移動させることができる。このとき、カバー部材１００は、ＦＦＣ５０の突起部５１ａ〜５１ｄと溝部１２ａ〜１２ｄが嵌合した状態でα方向に伸縮するため、突起部５１ａ〜５１ｄおよび溝部１２ａ〜１２ｄがＦＦＣ５０上をカバー部材１００が移動するためのガイドとしての役割を果たしている。
【００３１】
また、本実施形態のカバー部材１００は、クランプ部１２の突起部５１ａ〜５１ｄとＦＦＣ５０の溝部１２ａ〜１２ｄの嵌合によって生じる摩擦力によって、クランプ部１２の位置が保持されているため、蛇腹部１１の伸縮状態を維持することができる。従って、カバー部材１００における蛇腹部１１の蛇腹形状による弾性力によって移動することはない。
【００３２】
また、本実施形態のカバー部材１００は、蛇腹部１１の伸縮性によって、クランプ部１２をＦＦＣ５０に対してα方向に沿って移動させることができるため、ＦＦＣ５０を覆う範囲（α方向の範囲）を所望の範囲に調整することができる。このため、汎用性を損なわずに、ＦＦＣ５０と筐体板金８０との間の電気的結合を防ぐことができる。
【００３３】
つまり、ＦＦＣ５０と筐体板金８０との距離が所定距離より近くなる領域では、カバー部材１００を伸ばして移動させてＦＦＣ５０の外周を覆うことで、ＦＦＣ５０と筐体板金８０との距離を所定距離以上にできる。これにより、筐体板金８０とＦＦＣ５０との間に所定距離（距離Ｌ１）が確保されるため、ＦＦＣ５０が筐体板金８０に密着することが防止でき、ＦＦＣ５０と筐体板金８０の電気的結合を防ぐことができる。
【００３４】
一方、ＦＦＣ５０と筐体板金８０との距離が所定距離より遠くなる領域では、カバー部材１００を縮めて移動させてＦＦＣ５０を覆わないようにする。これにより、筐体板金８０とＦＦＣ５０との間に空間が確保され、ＦＦＣ５０本来の柔軟性を維持することができる。
【００３５】
（第２の実施形態）
第１の実施形態のカバー部材１００では、蛇腹部１１に接続されたクランプ部１２に、ＦＦＣ５０に設けられた突起部５１ａ〜５１ｄに嵌合する溝部１２ａ〜１２ｄが設けられていた。これに対し、本実施形態のカバー部材では、蛇腹部に接続されたクランプ部に、ＦＦＣに設けられた溝部に嵌合する突起部を設けている。
【００３６】
図７は、第２の実施形態のカバー部材を装着したＦＦＣの断面図である。図７は、第１の実施形態の図４に相当する図である。すなわち、本実施形態のカバー部材２００も、第１の実施形態と同様に、ＦＦＣ６０に装着されている（図１〜３参照）。このため、図７では、ＦＦＣ６０に装着されたカバー部材２００のクランプ部２２の部分における断面図であって、例えば、図１に示すＢ−Ｂ断面に相当する。
【００３７】
本実施形態のカバー部材２００は、蛇腹部１１と、クランプ部２２とを備えており、ＦＦＣ６０に装着されている。クランプ部２２が伸縮状態維持部に相当する。蛇腹部１１は、図７には図示されていないが、本実施形態のカバー部材２００においても、図１〜３等と同様の蛇腹部１１が設けられている。
【００３８】
ＦＦＣ６０は、第１の実施形態と同様の電線であって、絶縁体６１と、電気信号を送受信する内部導体５２とを備えており、図７に示すように並置された複数の内部導体５２が絶縁体６１に覆われている。
【００３９】
本実施形態のＦＦＣ６０は、平面形状に成形されており、絶縁体６１の上面６１１と下面６１２は、互いに反対方向を向いている。ＦＦＣ６０は、絶縁体６１の上面６１１と、上面６１１と反対側の下面６１２の両面に、ＦＦＣ６０の内部導体５２の延びる方向であるα方向（図１参照）に沿って溝部６１ａ〜６１ｄが設けられている。溝部６１ａ〜６１ｄは、断面が矩形状に凹んだ溝がα方向に沿って設けられている。また、本実施形態では、溝部６１ａ、６１ｂが絶縁体６１の上面６１１の両端部近傍の対向する位置にそれぞれ設けられ、溝部６１ｃ、６１ｄが絶縁体６１の下面６１２の両端部近傍の対向する位置にそれぞれ設けられている。なお、本実施形態では、４つの溝部が設けられた構成となっているが、任意の数の溝部を設けてもよい。
【００４０】
クランプ部２２は、第１の実施形態と同様に、蛇腹部１１に接続され、ＦＦＣ６０の外周を保持しながら、蛇腹部１１の伸縮状態を維持するものである。本実施形態のクランプ部２２は、内部にＦＦＣ６０が通過する穴が形成された枠形状の部材である。また、本実施形態のクランプ部２２は、３つ設けられており、２つの蛇腹部１１の両端部に接続されている（図１〜３参照）。本実施形態では、３つのクランプ部２２が設けられた構成となっているが、任意の数のクランプ部２２を設けることができる。また、本実施形態では、クランプ部２２が蛇腹部１１の端部に接続された構成となっているが、端部近傍（端部より内部側）に接続してもよい。クランプ部２２は、例えば、樹脂によって製造されている。
【００４１】
クランプ部２２は、α方向（第１の方向）に沿ってＦＦＣ６０に設けられた４つの溝部６１ａ〜６１ｄに嵌合するように、内部側に４つの突起部２２ａ〜２２ｄが設けられている。突起部２２ａと２２ｂ、および突起部２２ｃと２２ｄは、クランプ部２２において、ＦＦＣ６０を挟んで対向する位置にそれぞれ設けられている。
【００４２】
具体的には、上述したように、ＦＦＣ６０の絶縁体６１の上面６１１（一方の面）の両端部近傍には、溝部６１ａ、６１ｂが設けられ、絶縁体６１の下面６１２（他方の面）の両端部近傍には、溝部６１ｃ、６１ｄが設けられている。そして、ＦＦＣ６０にカバー部材２００が装着された場合に、溝部６１ａに嵌合するようにクランプ部２２の内部側に断面が矩形状に突出した突出部２２ａが設けられ、同様に、溝部６１ｂ、６１ｃ、６１ｄに嵌合するようにクランプ部２２の内部側にそれぞれ突出部２２ｂ、２２ｃ、２２ｄが設けられている。
【００４３】
本実施形態では、ＦＦＣ６０の上面６１１に設けられた２つの溝部６１ａ、６１ｂに嵌合し、ＦＦＣ６０の下面６１２に設けられた２つの溝部６１ｃ、６１ｄに嵌合するように、クランプ部２２に４つの突起部２２ａ〜２２ｄが設けられている。そして、ＦＦＣ６０をカバー部材２００が覆うことで、ＦＦＣ６０の内部導体５２と筐体板金８０（図６−１、図６−２参照）との距離として、図７に示す距離Ｌ１が確保される。
【００４４】
カバー部材２００の使用方法については、第１の実施形態と同様であるため説明を省略する（図６−１、６−２参照）。
【００４５】
このように、本実施形態のカバー部材２００は、蛇腹部１１に接続されたクランプ部２２の内部側に、ＦＦＣ６０に設けられた溝部６１ａ〜６１ｄに嵌合する突起部２２ａ〜２２ｄを設けている。そして、溝部６１ａ〜６１ｄと突起部２２ａ〜２２ｄとが嵌合することにより、ＦＦＣ６０とカバー部材２００との間の摩擦力が大きくなる。これにより、カバー部材２００がＦＦＣ６０の長さ方向や断面方向にずれることを防止できるとともに、クランプ部２２および蛇腹部１１がＦＦＣ６０から離脱することを防止することができる。
【００４６】
また、本実施形態のカバー部材２００は、クランプ部２２が筐体板金８０に固定されていないため、クランプ部２２および蛇腹部１１を任意の位置に移動させることができる。このとき、カバー部材２００は、ＦＦＣ６０の溝部６１ａ〜６１ｄと突起部２２ａ〜２２ｄが嵌合した状態でα方向に伸縮するため、溝部６１ａ〜６１ｄおよび突起部２２ａ〜２２ｄがＦＦＣ６０上をカバー部材２００が移動するためのガイドとしての役割を果たしている。
【００４７】
また、本実施形態のカバー部材２００は、クランプ部２２の溝部６１ａ〜６１ｄとＦＦＣ６０の突起部２２ａ〜２２ｄの嵌合によって生じる摩擦力によって、クランプ部２２の位置が保持されているため、蛇腹部１１の伸縮状態を維持することができる。従って、カバー部材２００における蛇腹部１１の蛇腹形状による弾性力によって移動することはない。
【００４８】
また、本実施形態のカバー部材２００は、蛇腹部１１の伸縮性によって、クランプ部２２をＦＦＣ６０に対してα方向に沿って移動させることができるため、ＦＦＣ６０を覆う範囲（α方向の範囲）を所望の範囲に調整することができる。このため、汎用性を損なわずに、ＦＦＣ６０と筐体板金８０との間の電気的結合を防ぐことができる。
【００４９】
つまり、ＦＦＣ６０と筐体板金８０との距離が所定距離より近くなる領域には、カバー部材２００を伸ばして移動させてＦＦＣ６０の外周を覆うことで、ＦＦＣ６０と筐体板金８０との距離を所定距離以上にできる。これにより、筐体板金８０とＦＦＣ６０との間に所定距離（距離Ｌ１）が確保されるため、ＦＦＣ６０が筐体板金８０に密着することを防止でき、ＦＦＣ６０と筐体板金８０の電気的結合を防ぐことができる。
【００５０】
一方、ＦＦＣ６０と筐体板金８０との距離が所定距離より遠くなる領域では、カバー部材２００を縮めて移動させてＦＦＣ６０を覆わないようにする。これにより、筐体板金８０とＦＦＣ６０との間に空間が確保され、ＦＦＣ６０本来の柔軟性を維持することができる。
【００５１】
（第３の実施形態）
第２の実施形態のカバー部材２００では、蛇腹部１１に接続されたクランプ部２２に、ＦＦＣ６０に設けられた溝部６１ａ〜６１ｄに嵌合する突起部２２ａ〜２２ｄを設けられていた。これに対し、本実施形態のカバー部材では、溝部が形成されていないＦＦＣを挟持するための突起部を設けている。
【００５２】
図８は、第３の実施形態のカバー部材を装着したＦＦＣの断面図である。図８は、第１の実施形態の図４に相当する図である。すなわち、本実施形態のカバー部材３００も、第１の実施形態と同様に、ＦＦＣ７０に装着されている（図１〜３参照）。このため、図８では、ＦＦＣ７０に装着されたカバー部材３００のクランプ部３２の部分における断面図であって、例えば、図１に示すＢ−Ｂ断面に相当する。
【００５３】
本実施形態のカバー部材３００は、蛇腹部１１と、クランプ部３２とを備えており、ＦＦＣ７０に装着されている。クランプ部３２が伸縮状態維持部に相当する。蛇腹部１１は、図８には図示されていないが、本実施形態のカバー部材３００においても、図１〜３等と同様の蛇腹部１１が設けられている。
【００５４】
ＦＦＣ７０は、第１の実施形態と同様の電線であって、絶縁体７１と、電気信号を送受信する内部導体５２とを備えており、図８に示すように並置された複数の内部導体５２が絶縁体７１に覆われている。
【００５５】
また、本実施形態のＦＦＣ７０は、平面形状に成形されており、絶縁体７１の上面７１１と下面７１２は、互いに反対方向を向いている。ＦＦＣ７０は、絶縁体７１の上面７１１と、上面７１１と反対側の下面７１２の両面は平面になっている。つまり、絶縁体７１には、第１の実施形態のＦＦＣ５０に設けられた突起部や、第２の実施形態のＦＦＣ６０に設けられた溝部は設けられていない。
【００５６】
クランプ部３２は、第１の実施形態と同様に、蛇腹部１１に接続され、ＦＦＣ７０の外周を保持しながら、蛇腹部１１の伸縮状態を維持するものである。本実施形態のクランプ部３２は、内部にＦＦＣ７０が通過する穴が形成された枠形状の部材である。また、本実施形態のクランプ部３２は、３つ設けられており、２つの蛇腹部１１の両端部に接続されている（図１〜３参照）。本実施形態では、３つのクランプ部３２が接続された構成となっているが、任意の数のクランプ部３２を設けることができる。また、本実施形態では、クランプ部３２が蛇腹部１１の端部に接続された構成となっているが、端部近傍（端部より内部側）に接続してもよい。クランプ部３２は、例えば、樹脂によって製造されている。
【００５７】
そして、クランプ部３２は、内部側のＦＦＣ７０を挟んで対向する位置に突起部３２ａ〜３２ｄが設けられている。具体的には、図８に示すように、クランプ部３２は、ＦＦＣ７０の絶縁体７１の両端部近傍を挟持するように、内部側に断面が矩形状に突出した突起部３２ａ〜３２ｄが設けられている。従って、ＦＦＣ７０にカバー部材３００が装着された場合にＦＦＣ７０の一方の端部を挟持するように、クランプ部３２の内部側に断面が矩形状に突出した一対の突出部３２ａ、３２ｃが設けられている。同様に、ＦＦＣ７０にカバー部材３００が装着された場合にＦＦＣ７０の他方の端部を挟持するように、クランプ部３２の内部側に断面が矩形状に突出した一対の突出部３２ｂ、３２ｄが設けられている。
【００５８】
本実施形態では、図８に示すように、ＦＦＣ７０に装着された際に、カバー部材３００の離脱防止の効果が安定するように、両端の２か所を挟持するように突出部を４つ設けた構成となっているが、ＦＦＣ７０を挟持可能な対になっていれば（偶数であれば）、任意の数の突起部を設けてもよい。
【００５９】
一対の突起部（突起部３２ａおよび３２ｃ、突起部３２ｂおよび３２ｄ）は、上述のように、ＦＦＣ７０の両面（上面７１１および下面７１２）を挟み込む位置に向き合うように設けられている。そして、この一対の突起部の間隙は、図８に示すＦＦＣ７０を挟持する方向（第２の方向に相当）のＦＦＣ７０の長さＣ（厚さ）以下となっている。つまり、一対の突起部は、その間隙がＦＦＣ７０の長さＣ（厚さ）と同じ長さになるように形成されているか、ＦＦＣ７０の長さＣ（厚さ）より短い長さになるように形成されている。後者の場合、ＦＦＣ７０にカバー部材３００を装着する際、ＦＦＣ７０を一対の突起部の間に押し込むようにして装着する。そして、ＦＦＣ７０をカバー部材３００が覆うことで、ＦＦＣ７０の内部導体５２と筐体板金８０（図６−１、図６−２参照）との距離として、図８に示す距離Ｌ２が確保される。
【００６０】
本実施形態のカバー部材３００は、クランプ部３２の内側でＦＦＣ７０の外側に空隙Ｇ１〜Ｇ４が設けた構成となっているが、空隙を設けないように構成してもよい。
【００６１】
このように、本実施形態のカバー部材３００は、蛇腹部１１に接続されたクランプ部３２に、突起部３２ａ〜３２ｄを設けている。そして、突起部３２ａ〜３２ｄによってＦＦＣ７０を挟持することで、ＦＦＣ７０とカバー部材３００の突起部３２ａ〜３２ｄとの間の摩擦力が大きくなる。これにより、カバー部材３００がＦＦＣ７０の長さ方向や断面方向にずれることを防止できるとともに、クランプ部３２および蛇腹部１１がＦＦＣ７０から離脱することを防止することができる。
【００６２】
また、本実施形態のカバー部材３００は、クランプ部３２が筐体板金８０に固定されていないため、クランプ部３２および蛇腹部１１を任意の位置に移動させることができる。このとき、クランプ部３２の突起部３２ａ〜３２ｄとＦＦＣ７０の上面７１１および下面７１２に摩擦力が生じることでクランプ部３２の位置が保持されるため、蛇腹部１１の伸縮状態を維持することができる。従って、カバー部材３００における蛇腹部１１の蛇腹形状による弾性力によって移動することはない。
【００６３】
また、本実施形態のカバー部材３００は、蛇腹部１１の伸縮性によって、クランプ部３２をＦＦＣ７０に対してα方向に沿って移動させることができるため、ＦＦＣ７０を覆う範囲（α方向の範囲）を所望の範囲に調整することができる。このため、汎用性を損なわずに、ＦＦＣ７０と筐体板金８０との間の電気的結合を防ぐことができる。
【００６４】
つまり、ＦＦＣ７０と筐体板金８０との距離が所定距離より近くなる領域では、カバー部材３００を伸ばして移動させてＦＦＣ７０の外周を覆うことで、ＦＦＣ７０と筐体板金８０との距離を所定距離以上にできる。これにより、筐体板金８０とＦＦＣ７０との間に所定距離（距離Ｌ２）が確保されるため、ＦＦＣ７０が筐体板金８０に密着することを防止でき、ＦＦＣ７０と筐体板金８０の電気的結合を防ぐことができる。
【００６５】
一方、ＦＦＣ７０と筐体板金８０との距離が所定距離より遠くなる領域では、カバー部材３００を縮めて移動させてＦＦＣ７０を覆わないようにする。これにより、筐体板金８０とＦＦＣ７０との間に空間が確保され、ＦＦＣ７０本来の柔軟性を維持することができる。
【００６６】
また、本実施形態のカバー部材３００は、突起部３２ａ〜３２ｄをＦＦＣ７０に形成された溝に嵌合させるものではないため、さらに、汎用性を損なわずに、ＦＦＣ７０と筐体板金８０との間の電気的結合を防ぐことができる。
【符号の説明】
【００６７】
１１  蛇腹部
１２、２２、３２  クランプ部
１２ａ、１２ｂ、１２ｃ、１２ｄ  溝部
２２ａ、２２ｂ、２２ｃ、２２ｄ、３２ａ、３２ｂ、３２ｃ、３２ｄ  突起部
５１、６１、７１  絶縁体
５１ａ、５１ｂ、５１ｃ、５１ｄ  突起部
５２  内部導体
６１ａ、６１ｂ、６１ｃ、６１ｄ  溝部
８０  筐体板金
８１、８２  回路基板
８１ａ、８２ａ  コネクタ
８１ｂ、８２ｂ  接続部材
１００、２００、３００  カバー部材
５１１、６１１、７１１  上面
５１２、６１２、７１２  下面
８０１  上部板金
８０２  下部板金
【先行技術文献】
【特許文献】
【００６８】
【特許文献１】特開２０１０−２００２３１号公報
【図１】
2017221030.tif 000003
【図２】
2017221030.tif 000004
【図３】
2017221030.tif 000005
【図４】
2017221030.tif 000006
【図５】
2017221030.tif 000007
【図６−１】
2017221030.tif 000008
【図６−２】
2017221030.tif 000009
【図７】
2017221030.tif 000010
【図８】
2017221030.tif 000011